(57)【特許請求の範囲】
【請求項１】
センター側装置に電話回線、携帯電話、ＰＨＳ等の通信網を介して回線接続された端末側交換局と、この端末側交換局に回線接続された端末網制御装置兼無線親機と、一個以上の無線子機にそれぞれ有線接続されたメータによって構成され、
前記無線親機と前記無線子機との間で無線通信を、前記センター側装置と前記無線親機との間で前記回線接続により回線通信を、各々単独に通信動作し、設定器を接続可能である自動無線検針装置において、
機能選択スイッチを備え、前記機能選択スイッチは、デフォルトである無線検針動作が実施される設定とデフォルト以外の設定を選択可能であり、
前記デフォルト以外の設定では、前記無線親機に接続した前記設定器で前記無線親機と前記無線子機の無線通信動作状況を把握するために、前記子機の操作により、特定検針信号に基づいて、１回又は複数回の無線検針送受信を行い、前記無線子機が、親機電界強度を含む電文を発信し、前記無線親機が、前記１回又は複数回の無線検針送受信によって、前記無線子機から前記親機電界強度を含む前記電文を受信し、前記受信した親機電界強度と自ら測定した子機電界強度を前記設定器に通信し、前記設定器が、前記通信された親機電界強度と子機電界強度に基づいて前記無線通信動作状況を把握し、
前記メータに対して前記無線検針送受信を実行するとき、前記機能選択スイッチの設定により、製品出荷時に無線子機に設定・記憶されているメータ検針値、読み出した前記メータの検針値、前記設定器と通信して設定されたダミーの検針値のいずれかを使用することを選択できることを特徴とする自動無線検針装置。
【請求項２】
前記無線親機と前記センター側装置の回線通信動作状況を把握するために、前記無線親機に接続された設定器でセンター側のホスト装置と１回又は複数回、送受信を行い、前記回線通信動作状況を把握することを特徴とする請求項１に記載の自動無線検針装置。
【発明の詳細な説明】
【技術分野】
【０００１】
本発明は、電話回線を介してセンター側装置と接続され、端末網制御装置を兼ね且つセンター側装置との間でノーリンギング通信を行う無線親機と、ＬＰガス、都市ガス、水道、電気等のライフラインの使用量を検針するメータと接続されている無線子機とを備え、各メータを自動検針して検針値をセンターに自動送信する自動無線検針装置に関する。
【背景技術】
【０００２】
従来の端末網制御装置が適用されたノーリンギング通信システムは、図１６に示すように、センター側装置ではホスト装置１とセンター側網制御装置２とが接続され、需要家に設置された端末側装置では、端末網制御装置６にＬＰガスメータ７、都市ガスメータ８、水道メータ９、電力メータ１０、セキュリティ機器１１、接点機器５５及び宅内電話機１２がそれぞれ接続されている。この電話回線網は、センター側交換局３とノーリンギングトランク５を備えた端末側交換局４とにより、電話回線１３を介して接続されている。
【０００３】
このように構成されたノーリンギング通信システムにおいては、センター側装置と端末側装置との間でノーリンギング通信によるデータ伝送が行われ、ホスト装置１からのＬＰガスメータ７等の各メータの自動検針や、端末発呼によるセキュリティ機器１１からの異常（例えば、ガス漏れ）の通知が行われている。ノーリンギング通信中においては、ノーリンギングトランク５によって宅内電話機１２のオフフック検知を行うことにより、端末網制御装置６は電話回線１３から宅内電話機１２を切り離すことなく通信を行う。一方、端末発呼の場合は、通常、宅内電話機１２を電話回線１３から切り離し、宅内電話機１２のベルの共鳴りを防止すると同時に、宅内電話機１２のオフフック検知を実施している。
【０００４】
これら端末側装置は、需要家、例えば一般家庭に設置されるものであるので、家庭毎に端末側装置の設置工事を行う必要がある。この場合、例えば設置場所がマンション、集合住宅であるときには、端末網制御装置と各メータとの間に配線を行うに際して、壁に穴を開ける必要が生じる。こうした工事は費用と時間が掛かるものであるので、配線の代わりに無線電波でデータを送受信すれば、端末網制御装置とメータ間において壁の穴開け工事を伴う配線工事をしなくてもよくなる。
【０００５】
図６は、無線親機６０及び無線子機１４を含む端末網制御装置が適用された自動無線検針システムの構成図である。端末網制御装置を兼ねる無線親機６０の１台に対して、単数の無線子機１４、若しくは複数の無線子機２、・・・無線子機Ｎ（以下、総称して「無線子機１４」と表記する）が接続されているが、その他の構成は基本的に図１６に示す従来システムと同じである。無線親機６０及び無線子機１４には、工場出荷後、設定器７０によって初期の設定動作が実施される。縁組スイッチの操作によって無線親機６０と無線子機１４とがお互いの暗証番号を確認することにより、相互の無線通信が可能になる。無線通信においては、設置場所の条件、周囲の電磁気的な環境によって、無線送受信の機能が大きく変動する。
【０００６】
しかしながら、設置工事においては、設置場所における実際の使用周波数が他からのノイズにより、無線が送受信できなくなることがある。現状では、こうした動作不良がどのような理由でまたどのタイミングで生じるのかの特定が困難である。また、設置後、通信エラーが生じる場合には、無線部分での問題であるのか、電話回線での問題であるのか、センター側での問題であるのかというエラー発生場所の区別がつきにくく、また更にその事象が一度きりなのか、何回も起きているのか等を含めて、エラーの本質が掴みにくい、という問題がある。
【０００７】
図９は、従来の無線親機と無線子機との間で、ガスメータの検針を行う通信シーケンスである。なお、図９で親機、子機と示されているのは無線親機、無線子機である。例えば、ガスメータのメータ発呼により子機が呼び出され、これを受けた子機は呼出電話番号にて親機を呼び出す。これを受けた親機はダイアル通信にてホスト装置を呼び出す。呼出しに対応する応答信号は、呼び出されたホスト装置から、親機、子機、ガスメータと逆の順に送信される。応答信号を受けたガスメータが検針値等のデータを発呼した順に送信し、子機とホスト装置との間で遣り取りがなされ、それが終了したときに、ホスト装置から終了電文が親機へ、更に子機へと送信されて、一連の動作が終了する。
【０００８】
従来のシーケンスでは、通信動作時の状況表示信号が外部に送出されていなかったので、動作確認は、無線信号又は無線受信機で通信している電文を音声として耳で確認することによってのみされていた。また、電話回線の通信においても、電話回線の信号をオシロスコープで確認する、或いは音声アンプで音として確認するのみであった。ガスメータからの発呼については、当該発呼信号が、一度、ホスト装置まで届かないと、折り返しの応答信号が戻って来ないので、無線部のみの検証には時間がかかりすぎるという問題がある。また、通信が不具合である場合、不具合が存在するのは、有線側か無線側か切り分けができないという問題点もある。
【発明の開示】
【発明が解決しようとする課題】
【０００９】
そこで、電話回線を介してセンター側装置と接続され、端末網制御装置を兼ね且つセンター側装置との間でノーリンギング通信を行う無線親機と、各種メータと接続されている無線子機とを備え、各メータを自動検針して検針値をセンターに自動送信する自動無線検針装置において、特定の送受信部分のみを動作させることで、通信の不具合がどのようなタイミングで、また無線側又は電話回線側かのどこで発生し、どのような種類の問題かを確認・把握した上で、当該不具合に対応可能にする点で解決すべき課題がある。
【００１０】
この発明の目的は、例えば、自動無線検針システムの設置工事において、無線送受信部分のみ、或いは通常の設置状態での有線通信部分のみを作動させることにより、通信の不具合がどのような問題であるのかを確認・把握した上で、当該不具合に対応して、設置工事の効率化、問題点の解決、検針情報の確認或いは接点情報の確認をして、配線、機能確認の短縮化にも寄与することができる自動無線検針装置を提供することである。
【課題を解決するための手段】
【００１１】
この発明による自動無線検針装置は、上記課題を解決するため、センター側装置に電話回線、携帯電話、ＰＨＳ等の通信網を介して回線接続された端末側交換局と、この端末側交換局に回線接続された端末網制御装置兼無線親機と、一個以上の無線子機にそれぞれ有線接続されたメータによって構成され、前記無線親機と前記無線子機との間で無線通信を、前記センター側装置と前記無線親機との間で前記回線接続により回線通信を、各々単独に通信動作し、設定器を接続可能である自動無線検針装置において、機能選択スイッチを備え、前記機能選択スイッチは、デフォルトである無線検針動作が実施される設定とデフォルト以外の設定を選択可能であり、前記デフォルト以外の設定では、前記無線親機に接続した前記設定器で前記無線親機と前記無線子機の無線通信動作状況を把握するために、前記子機の操作により、特定検針信号に基づいて、１回又は複数回の無線検針送受信を行い、前記無線子機が、親機電界強度を含む電文を発信し、前記無線親機が、前記１回又は複数回の無線検針送受信によって、前記無線子機から前記親機電界強度を含む前記電文を受信し、前記受信した親機電界強度と自ら測定した子機電界強度を前記設定器に通信し、前記設定器が、前記通信された親機電界強度と子機電界強度に基づいて前記無線通信動作状況を把握し、前記メータに対して前記無線検針送受信を実行するとき、前記機能選択スイッチの設定により、製品出荷時に無線子機に設定・記憶されているメータ検針値、読み出した前記メータの検針値、前記設定器と通信して設定されたダミーの検針値のいずれかを使用することを選択できることを特徴とする。
【００１２】
また、この自動無線検針装置において、前記無線親機と前記センター側装置の回線通信動作状況を把握するために、前記無線親機に接続された設定器でセンター側のホスト装置と１回又は複数回、送受信を行い、前記回線通信動作状況を把握することを特徴とする。
【発明の効果】
【００１３】
この発明による自動無線検針装置は、上記のように構成されており、設置工事、無線送受信の通信、電話回線の通信の際のように、現場設置時において、実際の運用時の問題点解決において、また、長期間の現場において、それぞれ不具合内容のみを分析できるというメリットがあり、問題点解決に効果的である。また、センター側との連携を取らなくても、電話回線の確認が済むというメリットもある。また、検針がうまくいかない場合、複数回、通信動作の確認が簡単にできて、問題点をより早く絞り込むことができる。更に、専用の治具を用いて、電話回線側の通信状況も確認でき、長期的な動作でも可能なように無線検針装置からセンターに通信することにより、状況を確認して、問題解決の効率アップを図ることができる。更に、この発明による自動無線検針装置によれば、回線接続によるグローバルな接続部と、特定小電力無線による無線接続によるローカルな接続部とを区分して運用することにより、通信トラブルの発生源を隔離して通信障害時の効率的なトラブルシューティングを可能にしている。
【発明を実施するための最良の形態】
【００１４】
以下、本発明による自動無線検針装置の実施の形態を図１から図１５を参照して詳細に説明する。
【００１５】
本発明による自動無線検針装置のシステム構成は、図６に示すように、また、図６に基づいて一部を既に説明したように、複数の無線子機１４と無線親機とを含み、無線親機は端末網制御装置を含んだ端末網制御装置兼無線親機（以下、単に「無線親機」という）６０として適用されているシステムである。
【００１６】
図７は本発明による自動無線検針装置に用いられる無線親機６０のブロック図である。無線送受信については、無線制御回路部２０にて電波の送信、受信、誤り制御を行い、無線モジュール部１９は、電波の増幅、変調、復調、キャリアセンスを行い、電波法に準拠した電波の送受信を制御して、アンテナ１８から無線子機１４〜１６（総称するときは、符号１４を用いる）に送受信する。ＲＳＳＩ回路部４７は、無線受信時に直流電圧を出力して無線強度を確認する部分である。
【００１７】
これらの各部は全て、マイクロコンピュータ部２１に対する入力データを出力するとともにマイクロコンピュータ部２１からの出力データの入力を受ける。表示回路部４０は無線親機６０の状態を表すためＬＥＤ３９を点灯させる。ＬＥＤ３９は、電源ランプ、遮断ランプ及び縁組ランプからなる。縁組回路部４６は、子機との親子認識のための部分である。無線親機６０の縁組スイッチと無線子機１４の縁組スイッチを同時に押すことにより、無線信号で互いを認識し、それ以降、互いの無線送受信が可能となる。
【００１８】
上記の各部には、通常は、電源部を構成するＡＣアダプタ部３８から電源回路部３６により、電源が供給される。停電、又はＡＣアダプタ３８のコンセント抜けの場合には、停電検知回路３７からの信号によって電池３５の電源スイッチ３４がＯＮし、ＤＣ／ＤＣ電源回路部３３を介して各部に電源が供給される。電源オフ部４４は、ＡＣアダプタ部３８から電源供給されている場合に、電池の電流を流さないようにするためのものである。電池電圧検知部４５は、適度な負荷状態において、電池の電圧が適正か否かを判断する判断部である。無線親機６０の基礎データ内容（デフォルト値又は設定値）は記憶部４１のＥＥＰＲＯＭに記憶されるので、停電で動作終了しても内容は維持されている。
【００１９】
交換機側の電話回線は、回線用モジュラージャック２２に接続されている。耐雷性能を向上させるために、耐雷回路部２３が電話回線側に設けられている。宅内電話機又は自分自身のオフフック検知のためのブロックがオフフック検知部２４である。オフフック検知部２４により、宅内電話機と通信が衝突することがなく、また自分自身のオフフック動作の確認が可能である。
【００２０】
宅内電話機は宅内用モジュラージャック２６に接続されている。一般ユーザーが室内電話機１２（図６）を使用していないことをオフフック検知部２４で確認してから、無線親機６０は、センター側に発呼して、センター側装置と回線を行う。もし、自動無線検針装置がセンター側装置と回線通信中であるときに、一般ユーザーが宅内電話機１２を使用すると、宅内電話機話中検知部２７が働き、センター側装置との回線通信を切断して、一般ユーザーに室内電話機１２を使用できるようにする。オフフック検知部２４が、一般ユーザーの宅内電話機１２の使用が終了されたことを検知すると、自動無線検針装置はセンター側装置との回線通信を再開する。
【００２１】
極反検知部２５は、電話回線の緩リバースを検知して、ＮＲＳ検知回路部３０と動作して自分自身がホスト装置１により選択されたのか否かを判断する。また、極反検知部２５は電話回線のリンガー信号も検出し、信号の一部は、プレリンガー信号検知回路部２８にも供給され、Ｌモード通信の宅内電話機にも対応が可能である。ループ回路部２９は、端末発呼時にオフフックするための回路であり、ダイアルパルスのための回路でもある。半ループ回路部３１は、ノーリンギング通信時のインピーダンスを保持するための部分である。モデム回路部３２は、ＤＴＭＦ信号でプッシュホンダイアル信号の発生を行い、また端末通信時、ノーリンギング通信時にＦＭ通信を行うモデムの部分である。
【００２２】
セキュリティインターフェイス部４２はＡ１，Ａ２（図１）と表示されている部分であり、無線親機６０の外部との機器のインターフェイス部である。ここには、ＪＩＳ７ビット形式の設定器７０（図６参照）が接続される。セキュリティインターフェイス部４２から、送受信に関する信号が送受信され、設定器７０で電文が表示される。
【００２３】
無線親機６０の保守発呼回路部５４の機能は、ホスト装置１に対して、登録された無線子機１４と定期的に通信を行う機能であり、過去に正常応答を経験したが、新たな通信時に無応答となった場合に、発呼する機能を有する。ＲＳＳＩ回路部４７は、無線子機からの無線信号の強度である子機電界強度に応じた直流電圧を出力すると同時にマイクロコンピュータ部２１はこの電圧をＡＤ変換して得られた子機電界強度の値を保存する回路である。タイマー部５３は、無線親機６０の時刻情報を得るところである。リセット回路部４３は、設定値をデフォルトに戻す、マイコンのリセットスイッチである。
【００２４】
機能設定部５６は、無線親機６０の有線及び無線通信動作をするために動作モードを設定するところである。機能設定部５６は、図１及び図３に示す表面から操作できる機能設定の４連スイッチ（ＳＷ４００）、図２及び図４に示すＱ４００、ＳＷ４００からなるキースキャン回路部により構成される。縁組スイッチＳＷ２００は、機能スイッチＳＷ４００が００００のデフォルトの位置にあるときは、縁組の機能であるが、機能スイッチがデフォルト以外の位置にある場合は、一度押すと機能スタートの役割を果たし、もう一度押すと機能停止の役割を果たす。
【００２５】
図８は、本発明による、図６に示す無線子機１４のブロック図である。無線子機１４にも同様に機能設定部５６が構成される。無線親機と重複する部分は説明を省略する。メータ・接点インターフェイス部４９は、５ビットメータ、又は接点機器の接続部である。
【００２６】
ここで、図１に示す無線親機の概略を説明する。親機の電源の設定は、電池をコネクタ８０に挿入し、ＡＣアダプタをアダプタ接続部８１に挿入することで行われる。図３の子機の接続端子台（Ａ１，Ａ２）９１（図８セキュリティインターフェイス部４２）に設定器を接続してデータを設定し、子機は電池を接続した状態で工場出荷される。親機の縁組スイッチ（８２の右側）、及び子機の縁組スイッチ９２を押して、無線通信により親子縁組を設定する。受信状態で待機中の親機に子機からデータが無線送信され、このデータを受信した親機が子機を認識する。この設定は、無線の良い環境で行うことができる。電話局の配線を回線端子８３に挿入し、宅内電話機のモジュラー線を電話機端子８４に挿入することで、電話回線が設定される。親機接続端子台（Ａ１，Ａ２）８５（図７セキュリティインターフェイス部４２）に設定器を接続して無線親機のデータ（センター側装置の電話番号、時刻等）を設定する。次に、無線親機からセンター側装置に電話発呼すると、ホスト装置との回線通信を開始し、ホスト装置から、検針システムの設定初期値が無線親機に送信され、親機と子機に初期設定される。ホスト装置は、親機と子機のデータがユーザリストに追加され、指定日時に検針が実施される。無線通信又は回線通信で通信路に障害があると通信が正常に終了しないが、本発明は、その原因追求に要する時間の短縮を可能とするものである。
【００２７】
次に、図２に示す無線親機の縁組キーと機能キーの回路についてその概略を説明する。外部から操作可能なスイッチは、ＲＥＳＥＴ機能、縁組機能及び保守通報機能に各機能に対応した、リセットスイッチＳＷ１００、縁組スイッチＳＷ２００及び保守発呼スイッチＳＷ３００の三つである。リセットスイッチＳＷ１００を押下げると、時刻データ、検針時刻等の時間データが初期値にリセットされるが、縁組情報は維持されるので親子間での無線通信は可能である。縁組スイッチＳＷ２００を押下げると、子機との間でＩＤコード等の情報について無線通信が行われ、親子関係が構築される。保守発呼スイッチＳＷ３００を押下げることで、設定されている発呼先の電話番号に電話がかけられて、通信が行われる。表示機能４０は、縁組ＬＥＤ３９ａ、電源ＬＥＤ３９ｂ、弁遮断ＬＥＤ３９ｃの三つである。縁組ＬＥＤ３９ａは、縁組スイッチＳＷ２００を押下げたとき、縁組が正常に行われたとき、或いは縁組が不首尾であったときに、それぞれ区別される態様で点灯する。電源ＬＥＤ３９ｂは、正常な電源供給状態では点灯し、停電、コンセント抜け等で電池のバックアップを受ける状態では消灯し、ホスト装置との通信が正常に行われたときには、数回、点灯する。弁遮断ＬＥＤ３９ｃは、検針対象がガス供給である場合であって、ガス漏れ等に起因してガスボンベに備わる弁が遮断されると、ホスト装置からの信号に基づいて点灯する。現場確認後、ガスボンベ復帰信号がホスト装置に受信され、ホスト装置からの復帰信号が親機に送信されてきたときに消灯する。機能選択スイッチＳＷ４００は、本発明で追加されるスイッチである。
【００２８】
次に、図３に示す無線子機の概略を説明する。配線口９０から導入された配線が、端子台９１に接続され、端子台９１のうちＡ１，Ａ２は設定器接続用、ＤＴ／ＳＧはＬＰガスメータ用、Ｍ１、Ｍ２はボンベ切替え接点信号用、Ｍ３，Ｍ４はガスレベル計接点用である。接続された設定器から初期値が設定される。設定器でＬＰガスメータ値が確認され、配線状態が確認される。親機にも設定器を接続して、ホスト装置と回線通信を行うことで、ガス検針システムが完成される。この際に、回線通信が正常に終了しないときには、本発明を適用して問題点の解決に役立てることができる。なお、縁組スイッチ９２は、親機と子機との縁組を行うため親機の縁組スイッチＳＷ２００と関連して操作されるスイッチである。表示機能９３は、縁組表示ＬＥＤ９３ａと、無線レベルＬＥＤ９３ｂとから成り、測定された親機電界強度に応じてＬＥＤが点灯される。リセットスイッチ９４は、親機の場合と同様、設定値をデフォルトに戻す、マイコンのリセットスイッチである。
【００２９】
図５は全体説明図である。図２及び図４に示すＳＷ４００の設定方法により、通信機能を選択し、無線親機、無線子機の無線通信、有線通信の実施方法が決定される。即ち、ＳＷ４００を００００に設定すると、この設定値はデフォルト位置であり、従来の無線検針動作が実施される。ＳＷ４００を１００１に設定すると、無線子機の特定データによる無線親機、設定器との無線通信となる（次に、図１０に示す動作として説明する）。また、ＳＷ４００を１１１１に設定するとガスメータを含む無線親機、無線子機間の無線検針動作（図１１に示す）が実施され、ＳＷ４００を１０１０に設定すると設定器で設定されるダミー信号による無線検針動作（図１２に示す）が実施され、ＳＷ４００を１１００に設定すると接点機器の接点状況を無線検針動作（図１３に示す）が実施され、ＳＷ４００を１００１に設定すると設定器からホスト装置と有線通信を行う（図１４に示す）、更にＳＷ４００を１０１１に設定すると、ホスト装置との通信終了後、再度、センター装置と通信を行う（図１５に示す）。
【００３０】
無線子機に設定・記憶されている特定のメータの検針信号に基づいた無線親機、設定器との無線送受信について記す。
図１０は本発明による自動無線検針装置のシーケンス図である。無線子機１４の機能設定ＳＷ４００が１００１（デフォルト以外）に設定される。製品出荷時には、特定のメータとしてガスメータの検針値が無線子機１４に設定・記憶されている。縁組みスイッチＳＷ２００を一度押すと、この動作モードが開始する。無線子機１４は、ガスメータと直接通信しなくても、無線子機１４は、設定・記憶されているガスメータの検針値に基づいて、単独に無線親機６０と無線送受信を行う。送受信動作中に、無線子機１４はＲＳＳＩ回路部４７により、無線親機６０からの無線信号の親機電界強度を測定し、Ａ／Ｄ変換（アナログをデジタル値に変換）して、このデータを無線子機１４から無線親機６０に対して送信する電文に付加して送信する。同時に無線親機６０では、無線子機１４からの無線信号の子機電界強度を測定してこの値を電文にして設定器７０に送信する。
【００３１】
無線親機６０は、このとき機能設定ＳＷ４００を１００１（デフォルト以外）に設定する。無線親機６０は、セキュリティインターフェイス部４２に接続された設定器７０により動作する。つまり、無線子機１４側から送られてきた電話番号、親機電界強度、及び無線親機６０側で検出した子機電界強度が読み出される。設定器７０は、有線で応答信号を無線親機に送り、無線親機６０から無線子機１４に無線で信号が送受信される。最終的には、設定器７０から終了電文が無線親機６０に送られ、更に無線子機１４まで送信され、一通りの動作が終了する。
【００３２】
この動作は、一定時間経過すると再度同じ動作を繰り返す。縁組みスイッチＳＷ２００をもう一度押すと、繰り返し動作は停止する。機能設定部５６において機能設定ＳＷ４００が００００（デフォルトモード）に設定されると、この一連の動作は終了する。設定器７０のみで、親機と子機の間の無線通信動作をすることができる。
【００３３】
次に、無線子機に接続された特定の前記メータが検針した検針信号に基づいた無線親機と無線子機、設定器との無線送受信について記す。
図１１は本発明による自動無線検針装置の別のシーケンス図である。無線子機１４のＳＷ４００が１１１１に設定される。無線子機１４は、メータ・接点インターフェイス４９に接続された特定のメータであるガスメータの検針値を読み出して、無線親機６０と無線送受信を行う。無線送受信動作中に、無線子機１４はＲＳＳＩ回路部４７により、無線親機からの無線信号の親機電界強度を測定し、Ａ／Ｄ変換（アナログをデジタル値に変換）して、このデータを子機から親機に対して送信する電文に付加して送信する。同時に無線親機６０では、無線子機１４からの無線信号の子機電界強度を測定する。
【００３４】
無線親機６０では、このとき機能設定ＳＷ４００が１００１に設定される。無線親機６０は、セキュリティポートに接続された設定器７０により動作する。つまり、無線子機１４側から送られてきた電話番号、親機電界強度、及び親機側で検出した子機側電界強度が読み出される。設定器７０は、有線で応答信号を無線親機に送り、無線親機から無線子機に無線で信号が送受信される。最終的には、設定器７０から終了電文が無線親機に送られ、更に無線子機まで送信され、一通りの動作が終了する。
【００３５】
この動作は、一定期間の休止時間後、再度同じ動作モードが継続される。縁組みスイッチＳＷ２００をもう一度押すと、繰り返し動作は停止する。機能設定部５６において機能設定ＳＷ４００がデフォルトモードである００００に設定されると、この一連の動作は終了する。この動作では、ホスト装置１がなくてもガスメータ検針を行うことができる。
【００３６】
次に、設定器７０で設定されたデータ信号に基づいた無線親機６０、設定器との無線送受信について記す。
図１２は本発明による自動無線検針装置の更に別のシーケンス図である。無線子機１４のＳＷ４００が１０１０に設定される。無線子機１４は、メータ接点インターフェイス４９に接続された設定器７０と通信を行い、ガスメータの値を編集して、任意のデータ（ダミーの検針値）を設定し、無線親機６０と無線送受信を行う。設定器７０で一旦データを設定すると、上記の無線子機に設定・記憶されている特定のメータの検針信号に基づく場合の構成要因とおなじ動作で作動する。送受信動作中に、無線子機１４はＲＳＳＩ回路部４７により、無線親機６０からの無線信号の親機電界強度を測定して、Ａ／Ｄ変換（アナログをデジタル値に変換）し、このデータを子機から親機に対して送信する電文に付加して送信する。同時に無線親機６０では、無線子機１４からの無線信号の子機電界強度を測定する。
【００３７】
無線親機６０では、このとき機能設定ＳＷ４００が１０１０に設定される。無線親機６０は、セキュリティインターフェイス部４２に接続された設定器７０（図１７に設定器の一例の外観を示す）により、動作する。つまり、無線子機１４側から送られてきた電話番号、親機電界強度、及び無線親機６０側で検出した子機電界強度が読み出される。設定器７０は、有線で応答信号を無線親機６０に送り、無線親機６０から無線子機１４に無線で信号が送受信される。最終的には、設定器７０から終了電文が無線親機６０に送られ、更に無線子機１４まで送信され、一通りの動作が終了する。
【００３８】
この動作は、一定期間の休止時間後、再度同じ動作モードが継続される。このときデータは、同じデータを利用するならば、再度設定器７０で設定しなくてもよい。縁組みスイッチＳＷ２００をもう一度押すと、繰り返し動作は停止する。機能設定部５６において機能設定ＳＷ４００がデフォルトモードである００００に設定されると、この一連の動作は終了する。その後、任意のガスメータ値が設定されて、通信可能になる。
【００３９】
次に、無線子機から接点機器へ読み出しを行って得られた接点状態の信号に基づいた無線検針送受信について記す。
図１３は本発明による自動無線検針装置の更に別のシーケンス図である。無線子機１４では、機能設定ＳＷ４００が１１００に設定される。無線子機１４は、メータ・接点インターフェイス部４９に接続された接点機器の接点状態を検出して、検出した接点信号のオン状態又はオフ状態に基づいて、無線親機６０と無線送受信を行う。送受信動作中に、無線子機１４はＲＳＳＩ回路部４７により、無線親機６０からの無線信号の親機電界強度を測定し、Ａ／Ｄ変換（アナログをデジタル値に変換）して、このデータを無線子機１４から無線親機６０に対して送信する電文に付加して送信することである。同時に無線親機６０では、無線子機１４からの無線信号の子機電界強度を測定する。
【００４０】
無線親機６０では、機能設定ＳＷ４００が１１００に設定される。無線親機６０は、セキュリティインターフェイス部４２に接続された設定器７０（図示せず）により、動作する。つまり、無線子機１４側から送られてきた電話番号、親機電界強度、及び無線親機６０側で検出した子機電界強度が読み出される。設定器７０は、有線で応答信号を無線親機６０に送り、無線親機６０から無線子機１４に無線で信号が送受信される。最終的には、設定器７０から終了電文が無線親機６０に送られ、更に無線子機１４まで送信され、一通りの動作が終了する。
【００４１】
この動作は、一定期間の休止時間後、再度同じ動作モードが継続される。縁組みスイッチＳＷ２００をもう一度押すと、繰り返し動作は停止する。機能設定部５６において機能設定ＳＷ４００がデフォルトモードである００００に設定されると、この一連の動作は終了する。
【００４２】
次に、無線親機に接続された設定器とセンターのホスト装置との有線送受信について記す。
図１４は本発明による自動無線検針装置の更に別のシーケンス図である。無線親機６０は、セキュリティインターフェイス４２に接続された設定器７０により電話信号を送信して、無線親機６０はセンターのホスト装置と有線送受信を行う。
【００４３】
無線親機６０では、機能設定ＳＷ４００が１００１に設定される。無線親機６０は、セキュリティポートに接続された設定器７０により、動作する。設定器７０は、有線で応答信号を無線親機６０に送り、ホスト装置１からの信号が無線親機６０を介して受信する。設定器７０にはガスメータ値が設定されており、設定器７０は無線送受信を伴わない擬似的な無線子機の役目をする。最終的には、ホスト装置１から終了電文が無線親機６０に送られ、一通りの動作が終了する。
【００４４】
この動作は、一定期間の休止時間後、再度同じ動作モードが継続される。機能設定部５６が機能設定ＳＷ４００をデフォルトモードである００００に設定すると、この一連の動作は終了する。この動作では無線部を伴わないで、有線部のみの試験が可能である。
【００４５】
最後に、特定のメータからの発呼に基づくメータからセンター間の送受信について記す。図１５はこれによる自動無線検針装置の他のシーケンス図である。無線親機６０は、特定のメータとして、通常のガス検針であるガスメータからのメータ発呼があると、無線子機１４から無線親機６０、更に無線親機６０からホスト装置１へと信号が送受信されて、ガスメータとの遣り取りが行われ、無線親機６０とセンター側装置の有線通信動作状況が把握される。最終的には、終了電文で一連の送受信動作が終了する。
【００４６】
無線親機６０及び無線子機１４の機能設定ＳＷ４００が１０１１に設定されていると、無線子機１４が終了電文を受け取ると、再度ガスメータに検針値を要求して、ガスメータの値を受信する。無線親機６０は、工場出荷時設定されたセンターの電話番号又は設定器７０で設定されたセンターの電話番号先にダイアルして、通信動作を開始する。センターのホスト装置１と送受信することにより、ガスメータに対する検針動作を行うことができる。ガスメータの検針が思わしくない場所に設置された場合、長期間に亘って、検針を確認することができる。調査当日に判断しかねる設置場所については、長期間の監視体制を敷くことができ、問題点解決に有効である。センター側網制御装置には、検針データがログデータとして保存されることになる。センター装置は、検針値を正常受信していない場合に、電文内容により、終了電文を送出したときには、検針データが保存されないことになる。しかしながら、センター側網制御装置はこの値を維持することになるので、システムのバックアップになる。
【図面の簡単な説明】
【００４７】
【図１】本発明による自動無線検針装置の無線親機の外観図。
【図２】本発明による自動無線検針装置の無線親機の回路図。
【図３】本発明による自動無線検針装置の無線子機の外観図。
【図４】本発明による自動無線検針装置の無線子機の回路図。
【図５】本発明による自動無線検針装置の一例を示す全体図。
【図６】本発明による自動無線検針装置の一例を示すシステム図。
【図７】本発明による自動無線検針装置の端末網制御装置兼無線親機のブロック図。
【図８】本発明による自動無線検針装置の無線子機のブロック図。
【図９】従来品の通信シーケンス図。
【図１０】本発明による自動無線検針装置の、無線子機に予め設定されたガスメータ検針信号を利用する無線部の通信シーケンス図。
【図１１】本発明による自動無線検針装置の、ガスメータ検針を利用する無線部の別の通信シーケンス図。
【図１２】本発明による自動無線検針装置の、無線子機に新規に設定されたガスメータ検針信号を利用する無線部の更に別の通信シーケンス図。
【図１３】本発明による自動無線検針装置の、接点機器の状況を読み出す無線部の通信シーケンス図。
【図１４】本発明による自動無線検針装置の、ホスト装置と親機のみによる有線部の通信シーケンス図。
【図１５】本発明による自動無線検針装置の、ホスト装置を利用する通信シーケンス終了後に、センターとの通信シーケンスを行う場合の有線、無線両方の通信シーケンス図。
【図１６】従来のノーリンギング通信の一例を示すシステム図。
【図１７】設定器の一例を示す外観図。
【符号の説明】
【００４８】
１；ホスト装置                    ２；センター側網制御装置
３；センター側交換局              ４；端末側交換局
５；ノーリンギングトランク        ６；端末網制御装置
７；ＬＰガスメータ                ８；都市ガスメータ
９；水道メータ                  １０；電力メータ
１１；セキュリティ機器            １２；宅内電話機
１３；電話回線                    １４；無線子機１
１５；無線子機                    １６；無線子機Ｎ
１８；アンテナ                    １９；無線モジュール部
２０；無線制御回路部              ２１；マイクロコンピュータ部
２２；回線用モジュラージャック    ２３；耐雷回路部
２４；オフフック検知部            ２５；極反検知部
２６；宅内用モジュラージャック    ２７；宅内電話機話中検知部
２８；プレリンガー検知部          ２９；ループ回路部
３０；ＮＲＳ検知回路部            ３１；半ループ回路部
３２；モデム回路部                ３３；ＤＣ／ＤＣ電源回路部
３４；電源スイッチ部              ３５；電池
３６；電源回路部                  ３７；停電検知部
３８；ＡＣアダプタ部              ３９；ＬＥＤ部
３９ａ；縁組ＬＥＤ                ３９ｂ；電源ＬＥＤ
３９ｃ；遮断ＬＥＤ
４０；表示回路部                  ４１；記憶（ＥＥＰＲＯＭ）部
４２；セキュリティインターフェイス部    ４３；リセット回路部
４４；電源オフ部                  ４５；電池電圧検知部
４６；縁組回路部                  ４７；ＲＳＳＩ回路部
４９；メータ・接点インターフェイス部    ５３；タイマー部
５４；保守発呼回路部              ５５；接点機器
５６；機能設定部                  ６０；無線親機
７０；設定器
８０；コネクタ                    ８１；アダプタ接続部
８２；縁組スイッチ                ８３；回線端子
８４；電話機端子                  ８５；接続端子台（Ａ１，Ａ２）
９０；配線口                      ９１；端子台
９２；縁組スイッチ                ９３；表示機能
９３ａ；縁組表示ＬＥＤ            ９３ｂ；無線レベルＬＥＤ
９４；リセットスイッチ
ＳＷ１００；リセットスイッチ      ＳＷ２００；縁組スイッチ
ＳＷ３００；保守発呼スイッチ      ＳＷ４００；機能スイッチ
Ｑ４００；機能トランジスタ        Ｄ３０、４０，５０；保護用ダイオード
Ｒ３０〜３２、４０〜４２、５０〜５２、４０１〜４０４、４２１〜４２３；抵抗
Ｃ３０、４０、５０、４０１〜４０４；ノイズ防止用コンデンサ
【図１】
0004940076.tif 000002
【図２】
0004940076.tif 000003
【図３】
0004940076.tif 000004
【図４】
0004940076.tif 000005
【図５】
0004940076.tif 000006
【図６】
0004940076.tif 000007
【図７】
0004940076.tif 000008
【図８】
0004940076.tif 000009
【図９】
0004940076.tif 000010
【図１０】
0004940076.tif 000011
【図１１】
0004940076.tif 000012
【図１２】
0004940076.tif 000013
【図１３】
0004940076.tif 000014
【図１４】
0004940076.tif 000015
【図１５】
0004940076.tif 000016
【図１６】
0004940076.tif 000017
【図１７】
0004940076.tif 000018